【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
空気を圧縮するコンプレッサーと、コンプレッサーから圧縮空気を受けて燃料を燃焼してその燃焼ガスで駆動するガスタービン及びガスタービンの発生動力を電力等に変換する機器からなり、コンプレッサーの吸気に水を噴霧するガスタービンプラントにおいて、
水を噴霧する個所を複数有し、噴霧個所とその噴霧した水滴が蒸発する個所を比較して、コンプレッサー前で蒸発させてその際の熱吸収で吸気を冷却する水滴は、主にコンプレッサーから遠い個所で噴霧した水滴からなり、
一方、コンプレッサー内で蒸発させる水滴は、主にコンプレッサーから近い個所で噴霧した水滴からなることを特徴とするガスタービンプラント。
【請求項２】
空気を圧縮するコンプレッサーと、コンプレッサーから圧縮空気を受けて燃料を燃焼してその燃焼ガスで駆動するガスタービン及びガスタービンの発生動力を電力等に変換する機器からなり、コンプレッサーの吸気に水を噴霧するガスタービンプラントにおいて、
噴霧する水滴の平均粒子径が異なる噴霧部（ノズル）を有し、平均粒子径とその水滴が蒸発する位置を比較して、
蒸発させてその際の熱吸収で吸気を冷却する水滴は、主に平均粒子径が小さい方の噴霧部からの水滴からなり、
一方、コンプレッサー内で蒸発させる水滴は、主に平均粒子径が大きい方の噴霧部（ノズル）からの水滴からなることを特徴とするガスタービンプラント。
【請求項３】
空気を圧縮するコンプレッサーと、コンプレッサーから圧縮空気を受けて燃料を燃焼してその燃焼ガスで駆動するガスタービン及びガスタービンの発生動力を電力に変換する機器からなり、コンプレッサーの吸気に水を噴霧するガスタービンプラントの吸気冷却方法において、
夏期１日の電力需要のピーク時には、コンプレッサーの吸気に水を噴霧して、その蒸発熱でコンプレッサーに入る前の吸気の温度を低下させ、さらにコンプレッサー内で蒸発して作動空気の温度を低下させるが、
一方このピーク時の前及び又は後には、コンプレッサー内で蒸発する水の方を停止することを特徴とするガスタービンプラントの吸気冷却方法。
【請求項４】
空気を圧縮するコンプレッサーと、コンプレッサーから圧縮空気を受けて燃料を燃焼してその燃焼ガスで駆動するガスタービン及びガスタービンの発生動力を電力に変換する機器からなり、コンプレッサーの吸気に水を噴霧するガスタービンプラントの吸気冷却方法において、
夏期１日の電力需要のピーク時には、コンプレッサーの吸気に水を噴霧して、その蒸発熱でコンプレッサーに入る前の吸気の温度を低下させ、さらにコンプレッサー内で蒸発して作動空気の温度を低下させるが、
一方このピーク時の前及び又は後では、コンプレッサー内で蒸発する水の方を停止し、
そして噴霧する水のコンプレッサー内堆積性金属イオンを減少する水処理を行い、この処理した水は一時貯蔵して噴霧に使用することを特徴とするガスタービンプラントの吸気冷却方法。
【請求項５】
空気を圧縮するコンプレッサーと、コンプレッサーから圧縮空気を受けて燃料を燃焼してその燃焼ガスで駆動するガスタービン及びガスタービンの発生動力を電力に変換する機器からなり、コンプレッサーの吸気に水を噴霧するガスタービンプラントの吸気冷却方法において、
夏期昼間の電力需要ピーク時を中心とした時間にコンプレッサーの吸気に水を噴霧し、一方夜間はコンプレッサーの吸気への水の噴霧は実質的に停止し、
そして噴霧する水のコンプレッサー内堆積性金属イオンを減少する水処理は、昼間及び夜間の間に行い、この夜間に処理した水は一時貯蔵して昼間の噴霧に使用することを特徴とするガスタービンプラントの吸気冷却方法。
【請求項６】
空気を圧縮するコンプレッサーと、コンプレッサーから圧縮空気を受けて燃料を燃焼してその燃焼ガスで駆動するガスタービン及びガスタービンの発生動力を電力等に変換する機器からなり、コンプレッサーの吸気に水を噴霧するガスタービンプラントの運転方法において、
ガスタービンのプラントを複数有し、
全プラントの合計出力を段階的に低下させる場合に、まず水の噴霧を停止してガスタービン出力を低下させ、次にコンプレッサーの入り口案内翼の設定角度を変化して出力を低下させることを特徴とするガスタービンプラントの運転方法。
【請求項７】
空気を圧縮するコンプレッサーと、コンプレッサーから圧縮空気を受けて燃料を燃焼してその燃焼ガスで駆動するガスタービン及びガスタービンの発生動力を電力等に変換する機器からなり、コンプレッサーの吸気に水を噴霧するガスタービンプラントにおいて、
夏期１日の電力需要のピーク時には、コンプレッサーの吸気に水を噴霧して、その蒸発熱でコンプレッサーに入る前の吸気の温度を低下させ、さらにコンプレッサー内で蒸発して作動空気の温度を低下させるが、
一方このピーク時の前及び又は後では、コンプレッサー内で蒸発する水の方を停止し、
そして噴霧する水のコンプレッサー内堆積性金属イオンを減少する水処理を昼間及び夜間の間に行う脱塩装置を有し、
この夜間に処理した水を一時貯蔵するタンクを有することを特徴とするガスタービンプラント。
【手続補正２】
【補正対象書類名】明細書
【補正対象項目名】００２５
【補正方法】変更
【補正の内容】
【００２５】
請求項４では、空気を圧縮するコンプレッサーと、コンプレッサーから圧縮空気を受けて燃料を燃焼してその燃焼ガスで駆動するガスタービン及びガスタービンの発生動力を電力に変換する機器からなり、コンプレッサーの吸気に水を噴霧するガスタービンプラントの吸気冷却方法において、夏期１日の電力需要のピーク時には、コンプレッサーの吸気に水を噴霧して、その蒸発熱でコンプレッサーに入る前の吸気の温度を低下させ、さらにコンプレッサー内で蒸発して作動空気の温度を低下させる。一方このピーク時の前及び又は後ではコンプレッサー内で蒸発する水の方を停止する。そして噴霧する水はコンプレッサー内堆積性金属イオンを減少する水処理を行い、この処理した水は一時貯蔵して噴霧に使用することを特徴とするガスタービンプラントの吸気冷却方法からなる。
【手続補正３】
【補正対象書類名】明細書
【補正対象項目名】００４２
【補正方法】変更
【補正の内容】
【００４２】
請求項７では、空気を圧縮するコンプレッサーと、コンプレッサーから圧縮空気を受けて燃料を燃焼してその燃焼ガスで駆動するガスタービン及びガスタービンの発生動力を電力等に変換する機器からなり、コンプレッサーの吸気に水を噴霧するガスタービンプラントにおいて、夏期１日の電力需要のピーク時には、コンプレッサーの吸気に水を噴霧して、その蒸発熱でコンプレッサーに入る前の吸気の温度を低下させ、さらにコンプレッサー内で蒸発して作動空気の温度を低下させるが、一方このピーク時の前及び又は後では、コンプレッサー内で蒸発する水の方を停止し、そして噴霧する水のコンプレッサー内堆積性金属イオンを減少する水処理を昼間及び夜間の間に行う脱塩装置を有し、
この夜間に処理した水を一時貯蔵するタンクを有することを特徴とするガスタービンプラントからなる。
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４９
【補正方法】変更
【補正の内容】
【００４９】
【発明の実施の形態】
図１は請求項１〜５，７対応の実施の形態である。ガスタービン８に入る空気は、吸気室１で、フィルター２を通り、噴霧器３で水滴を混合される。噴霧器は水と空気の２流体混合噴霧型である。噴霧した水粒子の平均粒子径は２０〜３０ミクロンである。この水滴はサイレンサーを経てコンプレッサーに入るが、途中にこの水滴は主に蒸発して吸気を冷却する。蒸発しない部分はコンプレッサー７に送る。噴霧は上方に密度を高く偏って行う。なおサイレンサーは噴霧水で濡れるが、濡れた面でも蒸発出来るのでより蒸発量を増加できる。


【手続補正１０】
【補正対象書類名】明細書
【補正対象項目名】００５４
【補正方法】変更
【補正の内容】
【００５４】
図５は噴霧水を蒸留する例である。ガスタービン５８に入る空気は、吸気室５１で、フィルター５２を通り、噴霧器５３で蒸留水の水滴を混合される。噴霧器は水と空気の２流体混合噴霧型である。この水滴はサイレンサー５４を経てコンプレッサー５７に入るが、途中にこの水滴は多少蒸発して吸気を冷却する。蒸発しない部分はコンプレッサー５７に送る。なおサイレンサー５４は噴霧水で濡れるが、濡れた面でも蒸発出来るのでより蒸発量を増加できる。コンプレッサー５７に入る前に噴霧器５５で蒸留水の水滴を噴霧する。そしてコンプレッサー５７の入り口に近い翼でこれらの水滴は蒸発する。この時の冷却熱で空気温度上昇を押さえ、コンプレッサーの駆動動力減少させる。これによってガスタービンプラントの出力が増加する。コンプレッサー５７を出た空気に燃料を入れて燃焼し、ガスタービン５８に入る。燃焼ガスはガスタービン５８で膨張して出力を発生する。ガスタービンから出た廃ガスは廃熱回収熱交換器５９に入り水蒸気を発生して蒸気タービンを駆動する。廃熱回収熱交換器５９の低温側から熱を取り出し、この熱を蒸留器６１で水の蒸留に使用する。蒸留した水はタンク６２に貯えられ、吸気に噴霧器５３，５５から噴霧する。蒸留水には、溶解物が皆無なので、噴霧に使用しても、コンプレッサー内で蒸発する際に堆積物をほとんど生成しない。


【手続補正１１】
【補正対象書類名】明細書
【補正対象項目名】００５５
【補正方法】変更
【補正の内容】
【００５５】
図６は噴霧水を蒸留する例である。ガスタービン７８に入る空気は、吸気室７１で、フィルター７２を通り、冷却器７３で冷却される。冷却の際にミストを生成して、吸気に混合する。このミストはサイレンサー７４を経てコンプレッサー７７に入るが、途中に噴霧器７５で水滴を付加する。この水滴は主にコンプレッサー７７内で蒸発する。コンプレッサー７７を出た空気に燃料を入れて燃焼し、ガスタービン７８に入る。燃焼ガスはガスタービン７８で膨張し出力を発生する。ガスタービン７８から出た廃ガスは廃熱回収熱交換器７９に入り水蒸気を発生して蒸気タービンを駆動する。廃熱回収熱交換器７９の低温側から蒸気を取り出し、この蒸気の熱を多段蒸留ユニット８２で水の蒸留に使用する。蒸留した水はタンク８３に貯えられ、吸気に噴霧器７５から噴霧する。蒸留水には、溶解物が皆無なので、噴霧に使用しても、コンプレッサー内で蒸発する際に堆積物をほとんど生成しない。


【手続補正１２】
【補正対象書類名】明細書
【補正対象項目名】００５６
【補正方法】変更
【補正の内容】
【００５６】
図７は噴霧水を蒸留する例である。


【手続補正１３】
【補正対象書類名】明細書
【補正対象項目名】図面の簡単な説明
【補正方法】変更
【補正の内容】
【図面の簡単な説明】
【図１】実施の形態である。
【図２】請求項６を説明する図である。
【図３】コンプレサーの一部断面図である。
【図４】夏期１日の電力需要（指数）の例である。
【図５】噴霧水を蒸留する例である。
【図６】噴霧水を蒸留する例である。
【図７】噴霧水を蒸留する例である。
【符号の説明】
１，５１，７１  吸気室
２，５２，７２  フィルター
３，５，５３，５５，７５  噴霧器
４，５４，７４  サイレンサー
６，５６，７６  吸気プレナム
７，５７，７７  コンプレッサー
８，５８，７８  ガスタービン
９，２５  濾過装置
１０，２６  脱塩装置
１１，２７，６２，８３  タンク
１２〜１５，２８〜３０，６３〜６５，８４〜８５，９９〜１０２  ポンプ
１６〜１８，３１〜３４，８６，１０３〜１０５  調整弁
２１  第１号ガスタービンプラント
２２  第２号ガスタービンプラント
２３  第３号ガスタービンプラント
２４  第４号ガスタービンプラント
５９，７９  廃熱回収熱交換器
６１  蒸留器
７３  冷却器
８２  多段蒸留ユニット
９５  脱気器